(57)【要約】【課題】夜間前方情報提供装置において、車両の運転中の様々な走行状況の変化に応じて表示部の輝度を自動的に調整する。【解決手段】車両の走行中における車両の状態を示す情報を収集し、これらの情報に基づき車両の走行状況を分析し、この分析結果に基づき表示部の輝度を調整する。例えば、車両の状態を示す情報は、車速情報、方向指示器の作動情報、ヘッドランプのビーム方向情報、ブレーキの作動情報を含む。さらに、調整する際に、表示部の輝度を所定の変化率に従って変化させることができる。また、変化率は、変化前の車両の走行状況の種別と変化後の車両の走行状況の種別との組み合わせに応じてそれぞれ定めることができる。【選択図】  図１
2008030518.tif 000002
【特許請求の範囲】
【請求項１】
夜間における車両の前方の情報を表示部に画像表示する夜間前方情報提供装置において、
車両の走行中における車両の状態を示す情報を収集し、これらの情報に基づき車両の走行状況を分析する手段と、
この分析する手段の分析結果に基づき前記表示部の輝度を調整する手段と
を備えたことを特徴とする夜間前方情報提供装置。
【請求項２】
前記車両の状態を示す情報は、車速情報、方向指示器の作動情報、ヘッドランプのビーム方向情報、ブレーキの作動情報を含む請求項１記載の夜間前方情報提供装置。
【請求項３】
前記調整する手段は、前記表示部の輝度を所定の変化率に従って変化させる手段を含む請求項１記載の夜間前方情報提供装置。
【請求項４】
前記変化率は、前記変化させる手段における変化前の車両の走行状況の種別と変化後の車両の走行状況の種別との組み合わせに応じてそれぞれ定められた請求項３記載の夜間前方情報提供装置。
【発明の詳細な説明】
【技術分野】
【０００１】
本発明は、夜間における歩行者の発見などの車両の前方の情報を運転者に提供する装置に関する。特に、トラックやバスなどの大型商用車に利用するのに適する。
【背景技術】
【０００２】
夜間における歩行者の発見などの車両の前方の情報を運転者に提供する夜間前方情報提供装置が提案されている（例えば、特許文献１〜３参照）。この装置は、ヘッドアップディスプレイ（ＨＵＤ）などの表示部を備え、この表示部に車両の前方の情報を表示する。
【０００３】
【特許文献１】特開平８−１７５２２８号公報
【特許文献２】特開平９−４３５３２号公報
【特許文献３】特開２００３−２９１６８８号公報
【発明の開示】
【発明が解決しようとする課題】
【０００４】
上記の装置では、ＨＵＤなどの表示部の輝度調整を手動により行うことができるが、このような手動による輝度調整は、一般的に、運転開始以前に行うことを想定しており、運転中に行うことは想定していない。
【０００５】
しかしながら、運転中の様々な状況の変化に応じて表示部の輝度を調整することは有用である。例えば、ヘッドライトをロービームとし、法定速度の上限に近い車速で直進走行している状況は、最も夜間前方情報提供装置を必要とする状況であり、そのような状況下では表示部の輝度は高いことが望ましい。
【０００６】
これに対し、交差点での右左折や車線変更を行う際には、車両周辺の確認が必要であるため、夜間前方情報提供装置の必要性は低く、さらに、表示部の明るさが運転者の目を幻惑させる可能性があり、そのような状況下では表示部の輝度は低いことが望ましい。また、停車中にも夜間前方情報提供装置の必要性は低く、そのような状況下では表示部の輝度は低いことが望ましい。あるいは、ヘッドランプをハイビームで走行中であれば、夜間前方情報提供装置の必要性は低く、そのような状況下では表示部の輝度は低いことが望ましい。
【０００７】
従来の装置では、表示部の輝度調整が手動によって行われるため、このような運転状況に応じた輝度調整は困難である。
【０００８】
本発明は、このような背景の下に行われたものであって、車両の運転中の様々な走行状況の変化に応じて表示部の輝度を自動的に調整することができる夜間前方情報提供装置を提供することを目的とする。
【課題を解決するための手段】
【０００９】
本発明は、夜間における車両の前方の情報を表示部に画像表示する夜間前方情報提供装置であって、本発明の特徴とするところは、車両の走行中における車両の状態を示す情報を収集し、これらの情報に基づき車両の走行状況を分析する手段と、この分析する手段の分析結果に基づき前記表示部の輝度を調整する手段とを備えたところにある。
【００１０】
例えば、前記車両の状態を示す情報は、車速情報、方向指示器の作動情報、ヘッドランプのビーム方向情報、ブレーキの作動情報を含む。
【００１１】
これによれば、運転中の様々な走行状況の変化に応じて表示部の輝度を調整することができる。例えば、ヘッドライトをロービームとし、法定速度の上限に近い車速で直進走行している状況では、最も夜間前方情報提供装置を必要とする状況であり、そのような状況下では表示部の輝度を高くすることができる。
【００１２】
これに対し、交差点での右左折や車線変更を行う際には、車両周辺の確認が必要であるため、夜間前方情報提供装置の必要性は低く、さらに、表示部の明るさが運転者の目を幻惑させる可能性があり、そのような状況下では表示部の輝度を低くすることができる。また、停車中にも夜間前方情報提供装置の必要性は低く、そのような状況下では表示部の輝度を低くすることができる。あるいは、ヘッドランプをハイビームで走行中であれば、夜間前方情報提供装置の必要性は低く、そのような状況下では表示部の輝度を低くすることができる。
【００１３】
さらに、前記調整する手段は、前記表示部の輝度を所定の変化率に従って変化させる手段を含むことができる。
【００１４】
これによれば、輝度が急峻に変化することを回避でき、人の目の暗順応または明順応に要する時間に合せて輝度を変化させることができるため、運転者の目が輝度の変化により幻惑することを回避できる。
【００１５】
また、前記変化率は、前記変化させる手段における変化前の車両の走行状況の種別と変化後の車両の走行状況の種別との組み合わせに応じてそれぞれ定められることが望ましい。
【００１６】
例えば、輝度の変化前の車両の走行状況の種別と輝度の変化後の車両の走行状況の種別との組み合わせによっては、輝度を高い方から低い方に変化させるような組み合わせもあるが、そのような場合には、変化率は急峻であっても問題はないので、急峻な変化率とする。
【００１７】
あるいは、輝度の変化前の車両の走行状況の種別と輝度の変化後の車両の走行状況の種別との組み合わせによっては、運転者の目が輝度の変化に多少幻惑することがわかっていても、なお、輝度を高くすることが急を要する組み合わせもある。そのような場合には、運転者の目の多少の幻惑は許容して急峻な変化率とする。
【発明の効果】
【００１８】
本発明によれば、車両の運転中の様々な走行状況の変化に応じて表示部の輝度を自動的に調整することができる。
【発明を実施するための最良の形態】
【００１９】
本発明実施例の夜間前方情報提供装置を図１ないし図４を参照して説明する。図１は本実施例の夜間前方情報提供装置を搭載した車両の運転室を示す図である。
【００２０】
本実施例は、図１に示すように、夜間における車両の前方の情報を表示部であるＨＵＤ３に画像表示する夜間前方情報提供装置１である。ここで、本実施例の夜間前方情報提供装置１の特徴とするところは、車両の走行中における車両の状態を示す情報を収集し、これらの情報に基づき車両の走行状況を分析する走行状況分析部３０と、この走行状況分析部３０の分析結果に基づきＨＵＤ３の輝度を調整する輝度調整部２０とを備えたところにある。
【００２１】
前記車両の状態を示す情報は、車速センサ１０からの車速情報、方向指示器スイッチ７からの方向指示器の作動情報、ヘッドランプ・スイッチ９からのヘッドランプのビーム方向情報、ブレーキ・スイッチ６からのブレーキの作動情報を含む。なお、ブレーキ・スイッチ６からのブレーキの作動情報には、ディスクブレーキなどのメインブレーキの作動情報の他に、補助ブレーキの作動情報も含む。
【００２２】
さらに、ワイパ・スイッチ８により降雨情報を得ることができる。また、日射センサ１１により昼夜を識別するための情報やトンネル内を走行中であることを認識するための情報を得ることができる。
【００２３】
夜間前方情報提供装置１は、カメラ４が撮影した歩行者の身体から放射される赤外線の映像を、投影器２を介してＨＵＤ３に表示する。なお、カメラ４により歩行者の周囲の状況も併せて撮影する場合には、赤外線投光器５により赤外線を車両の前方に照射することができる。
【００２４】
次に、輝度調整部２０における輝度調整手順を図２を参照して説明する。図２は輝度調整部２０の輝度調整手順を示すフローチャートである。輝度調整部２０は、図２に示すように、電源スイッチがＯＮ状態とならない内は（Ｓ１）、輝度は駐車状態である（Ｓ３）。なお、輝度が駐車状態とは、すなわち、輝度が“０”であり、夜間前方情報提供装置１自体が停止した状態である。ただし、電源スイッチがＯＮ状態となり（Ｓ１）、夜間前方情報提供装置１が稼働状態となっても、日射センサ１１から得られる昼夜を識別するための情報により現在が昼間であることが識別されたときには（Ｓ２）、やはり、輝度は駐車状態とする（Ｓ３）。あるいは、電源スイッチがＯＮ状態となっても日射センサ１１から得られる昼夜を識別するための情報が夜間を示すまでは、電源を自動的にＯＦＦ状態とするようにしてもよい。なお、昼間であってもトンネル走行中は夜間として識別される。
【００２５】
電源スイッチがＯＮ状態であり（Ｓ１）、日射センサ１１から得られる昼夜を識別するための情報が夜間を示し（Ｓ２）、車速が０ｋｍ／ｈ以上Ｖ１（例えば、３０ｋｍ／ｈ）以下であり（Ｓ４）、方向指示器スイッチ７により方向指示器の作動が確認されたときには（Ｓ５）、輝度を右左折状態とする（Ｓ６）。右左折状態における輝度は、最も輝度が高い状態を輝度レベル“５”とした場合に、輝度レベル“１”であり、右左折状態においては、夜間前方情報提供装置１の必要性は低く、運転者の目がＨＵＤ３の明るさによって幻惑されないように配慮している。
【００２６】
また、車速が０ｋｍ／ｈ以上Ｖ１以下であり（Ｓ４）、方向指示器スイッチ７により方向指示器の作動が確認されないときには（Ｓ５）、輝度を低速状態とする（Ｓ８）。低速状態における輝度は、輝度レベル“２”であり、低速状態においては、夜間前方情報提供装置１の必要性は低く、運転者の目がＨＵＤ３の明るさによって幻惑されないように配慮している。ただし、ワイパ・スイッチ８によりワイパの作動を検出することにより降雨時であることが判別できた場合には（Ｓ７）、晴天時よりも視界が悪いために輝度レベルを“＋１”する（Ｓ９）。
【００２７】
また、車速がＶ１よりも大きいときに（Ｓ４）、方向指示器スイッチ７により方向指示器の作動が確認されたときには（Ｓ１０）、輝度を車線変更状態とする（Ｓ１１）。車線変更状態における輝度は、輝度レベル“１”であり、車線変更状態においては、夜間前方情報提供装置１の必要性は低く、運転者の目がＨＵＤ３の明るさによって幻惑されないように配慮している。
【００２８】
また、車速がＶ１よりも大きく（Ｓ４）、方向指示器スイッチ７により方向指示器の作動が確認されず（Ｓ１０）、このとき、ブレーキ・スイッチ６あるいは車速センサ１０により急減速が確認されたら（Ｓ１２）、輝度を急減速状態とする（Ｓ１３）。急減速状態における輝度は、輝度レベル“１”であり、急減速状態においては、夜間前方情報提供装置１の必要性は低く、運転者の目がＨＵＤ３の明るさによって幻惑されないように配慮している。
【００２９】
また、車速がＶ１よりも大きく（Ｓ４）、方向指示器の作動が確認されず（Ｓ１０）、急減速も確認されず（Ｓ１２）、ヘッドランプ・スイッチ９によりロービームであることが確認されたら（Ｓ１４）、車両は、一般道路を直進しており、夜間前方情報提供装置１が最も有用となる状況であるから、輝度を通常状態とする（Ｓ１５）。通常状態における輝度は、輝度レベル“５”であり、最も高い輝度レベルである。
【００３０】
また、車速がＶ１よりも大きく（Ｓ４）、方向指示器の作動が確認されず（Ｓ１０）、急減速も確認されず（Ｓ１２）、ヘッドランプ・スイッチ９によりハイビームであることが確認され（Ｓ１４）、さらに、車速がＶ２（例えば、６０ｋｍ／ｈ）以上であれば（Ｓ１６）、輝度を高速状態とする（Ｓ２１）。高速状態における輝度は、輝度レベル“４”であり、通常状態よりも低い輝度である。これは、高速状態では、主に高速道路を走行中であり、歩行者の存在に注意を払う必要性が低く、さらに、ヘッドランプがハイビームであることから、ほぼ完全に前方が目視確認できるからである。ただし、前述したようにワイパ・スイッチ８により降雨時と判別できた場合には（Ｓ２０）、輝度を“＋１”する（Ｓ２２）。
【００３１】
また、車速がＶ１よりも大きく（Ｓ４）、方向指示器の作動が確認されず（Ｓ１０）、急減速も確認されず（Ｓ１２）、ヘッドランプ・スイッチ９によりハイビームであることが確認され（Ｓ１４）、さらに、車速がＶ２未満であれば（Ｓ１６）、輝度を中速状態とする（Ｓ１８）。中速状態における輝度は、輝度レベル“３”であり、高速状態よりも低い輝度である。これは、中速状態では、主に一般道路を走行中であり、歩行者の存在に注意を払う必要性は高速道路よりも高いが、速度が中速であり、さらに、ヘッドランプがハイビームであることから、余裕を持って完全に前方が目視確認できるからである。ただし、前述したようにワイパ・スイッチ８により降雨時と判別できた場合には（Ｓ１７）、輝度を“＋１”する（Ｓ１９）。以上説明した走行状態と輝度との関係を図３に一覧表として示した。
【００３２】
また、輝度調整部２０は、ＨＵＤ３の輝度を所定の変化率に従って変化させる。この変化率は、変化前の車両の走行状況の種別と変化後の車両の走行状況の種別との組み合わせに応じてそれぞれ定める。変化率の一覧表の例を図４に示す。なお、ここでは説明を分り易くするために、降雨時の輝度レベルの割り増し分は考慮せずに説明する。
【００３３】
図４の一覧表において、変化率が１００％とは、瞬時に輝度が変化する状態をいい、百分率の値が小さくなればなるほど、輝度の変化に要する時間がより長くかかることを意味する。例えば、変化率が１０％であれば輝度の変化に要する時間は約５秒間である。また、変化率が３０％であれば輝度の変化に要する時間は約４秒間である。また、変化率が５０％であれば輝度の変化に要する時間は約３秒間である。また、変化率が７０％であれば輝度の変化に要する時間は約２秒間である。また、変化率が９０％であれば輝度の変化に要する時間は約１秒間である。
【００３４】
輝度変化前の車両の走行状況が“通常（輝度レベル５）”であり、輝度変化後の車両の走行状況が“低速（輝度レベル２）”、“中速（輝度レベル３）”、“高速（輝度レベル４）”である場合には、変化率はそれぞれ９０％であり、約１秒間で輝度レベルが変化する。これらの変化は、高輝度から低輝度への変化（−１〜−３）であり、運転者の目が幻惑される可能性は無いので、早め（約１秒間）の変化とする。
【００３５】
輝度変化前の車両の走行状況が“通常（輝度レベル５）”であり、輝度変化後の車両の走行状況が“駐車（輝度レベル０）”、“右左折（輝度レベル１）”、“車線変更（輝度レベル１）”、“急減速（輝度レベル１）”である場合には、変化率はそれぞれ１００％であり、瞬時に輝度レベルが変化する。これらの変化は、高輝度から低輝度への変化（−４〜−５）であり、運転者の目が幻惑される可能性は無く、さらに、これらの状況下では、運転者はＨＵＤ３の表示を全く見ることなく、自車の周囲を目視確認する必要があるため、瞬時の変化とする。
【００３６】
輝度変化前の車両の走行状況が“低速（輝度レベル２）”であり、輝度変化後の車両の走行状況が“通常（輝度レベル５）”、“中速（輝度レベル３）”、“高速（輝度レベル４）”である場合には、変化率はそれぞれ３０％、７０％、５０％であり、約２〜４秒間で輝度レベルが変化する。これらの変化は、低輝度から高輝度への変化（＋１〜＋３）であり、運転者の目が幻惑される可能性があるため約２〜４秒間の変化とする。
【００３７】
輝度変化前の車両の走行状況が“低速（輝度レベル２）”であり、輝度変化後の車両の走行状況が“駐車（輝度レベル０）”、“右左折（輝度レベル１）”、“車線変更（輝度レベル１）”、“急減速（輝度レベル１）”である場合には、変化率はそれぞれ１００％であり、瞬時に輝度レベルが変化する。これらの変化は、高輝度から低輝度への変化（−１〜−２）であり、運転者の目が幻惑される可能性は無く、さらに、これらの状況下では、運転者はＨＵＤ３の表示を全く見ることなく、自車の周囲を目視確認する必要があるため、瞬時の変化とする。
【００３８】
輝度変化前の車両の走行状況が“中速（輝度レベル３）”であり、輝度変化後の車両の走行状況が“通常（輝度レベル５）”である場合には、変化率は５０％であり、約３秒間で輝度レベルが変化する。この変化は、低輝度から高輝度への変化（＋２）であり、運転者の目が幻惑される可能性があるため約３秒間の変化とする。
【００３９】
輝度変化前の車両の走行状況が“中速（輝度レベル３）”であり、輝度変化後の車両の走行状況が“低速（輝度レベル２）”である場合には、変化率は９０％であり、約１秒間で輝度レベルが変化する。この変化は、高輝度から低輝度への変化（−１）であり、運転者の目が幻惑される可能性が無いため早め（約１秒間）の変化とする。
【００４０】
輝度変化前の車両の走行状況が“中速（輝度レベル３）”であり、輝度変化後の車両の走行状況が“高速（輝度レベル４）”である場合には、変化率は７０％であり、約２秒間で輝度レベルが変化する。この変化は、低輝度から高輝度への変化（＋１）であり、運転者の目が幻惑される可能性があるため約２秒間の変化とする。
【００４１】
輝度変化前の車両の走行状況が“中速（輝度レベル３）”であり、輝度変化後の車両の走行状況が“駐車（輝度レベル０）”、“右左折（輝度レベル１）”、“車線変更（輝度レベル１）”、“急減速（輝度レベル１）”である場合には、変化率はそれぞれ１００％であり、瞬時に輝度レベルが変化する。これらの変化は、高輝度から低輝度への変化（−２〜−３）であり、運転者の目が幻惑される可能性は無く、さらに、これらの状況下では、運転者はＨＵＤ３の表示を全く見ることなく、自車の周囲を目視確認する必要があるため、瞬時の変化とする。
【００４２】
輝度変化前の車両の走行状況が“高速（輝度レベル４）”であり、輝度変化後の車両の走行状況が“通常（輝度レベル５）”である場合には、変化率は７０％であり、約２秒間で輝度レベルが変化する。この変化は、低輝度から高輝度への変化（＋１）であり、運転者の目が幻惑される可能性があるため約２秒間の変化とする。
【００４３】
輝度変化前の車両の走行状況が“高速（輝度レベル４）”であり、輝度変化後の車両の走行状況が“低速（輝度レベル２）”、“中速（輝度レベル３）”である場合には、変化率はそれぞれ１００％であり、瞬時に輝度レベルが変化する。この変化は、高輝度から低輝度（−１〜−２）への変化であり、運転者の目が幻惑される可能性が無いため瞬時の変化とする。
【００４４】
輝度変化前の車両の走行状況が“高速（輝度レベル４）”であり、輝度変化後の車両の走行状況が“駐車（輝度レベル０）”、“右左折（輝度レベル１）”、“車線変更（輝度レベル１）”、“急減速（輝度レベル１）”である場合には、変化率はそれぞれ１００％であり、瞬時に輝度レベルが変化する。これらの変化は、高輝度から低輝度（−３〜−４）への変化であり、運転者の目が幻惑される可能性は無く、さらに、これらの状況下では、運転者はＨＵＤ３の表示を全く見ることなく、自車の周囲を目視確認する必要があるため、瞬時の変化とする。
【００４５】
輝度変化前の車両の走行状況が“駐車（輝度レベル０）”であり、輝度変化後の車両の走行状況が“通常（輝度レベル５）”である場合には、変化率は１０％であり、約５秒間で輝度レベルが変化する。この変化は、最低輝度から最高輝度への変化（＋５）であり、運転者の目が幻惑される可能性が最も高いため約５秒間の最も緩やかな変化とする。また、このような最も緩やかな変化としても“駐車”の状況から“通常”の状況までに車両が加速するためには相応の時間を要するので問題はない。
【００４６】
輝度変化前の車両の走行状況が“駐車（輝度レベル０）”であり、輝度変化後の車両の走行状況が“低速（輝度レベル２）”、“中速（輝度レベル３）”である場合には、変化率はそれぞれ５０％、３０％であり、約３〜４秒間で輝度レベルが変化する。これらの変化は、低輝度から高輝度への変化（＋２〜＋３）であり、運転者の目が幻惑される可能性があるため約３〜４秒間の変化とする。
【００４７】
輝度変化前の車両の走行状況が“駐車（輝度レベル０）”であり、輝度変化後の車両の走行状況が“高速（輝度レベル４）”である場合には、変化率は１０％であり、約５秒間で輝度レベルが変化する。この変化は、低輝度から高輝度への変化（＋４）であり、運転者の目が幻惑される可能性があるため約５秒間の変化とする。また、このような緩やかな変化としても“駐車”の状況から“高速”の状況までに車両が加速するためには相応の時間を要するので問題はない。
【００４８】
輝度変化前の車両の走行状況が“右左折（輝度レベル１）”であり、輝度変化後の車両の走行状況が“通常（輝度レベル５）”である場合には、変化率は１０％であり、約５秒間で輝度レベルが変化する。この変化は、低輝度から高輝度への変化（＋４）であり、運転者の目が幻惑される可能性があるため約５秒間の変化とする。また、このような緩やかな変化としても“右左折”の状況から“通常”の状況までに車両が加速するためには相応の時間を要するので問題はない。
【００４９】
輝度変化前の車両の走行状況が“右左折（輝度レベル１）”であり、輝度変化後の車両の走行状況が“低速（輝度レベル２）”である場合には、変化率は７０％であり、約２秒間で輝度レベルが変化する。この変化は、低輝度から高輝度への変化（＋１）であり、運転者の目が幻惑される可能性があるため約２秒間の変化とする。
【００５０】
輝度変化前の車両の走行状況が“右左折（輝度レベル１）”であり、輝度変化後の車両の走行状況が“中速（輝度レベル３）”である場合には、変化率は５０％であり、約３秒間で輝度レベルが変化する。この変化は、低輝度から高輝度への変化（＋２）であり、運転者の目が幻惑される可能性があるため約３秒間の変化とする。
【００５１】
輝度変化前の車両の走行状況が“右左折（輝度レベル１）”であり、輝度変化後の車両の走行状況が“高速（輝度レベル４）”である場合には、変化率は３０％であり、約４秒間で輝度レベルが変化する。この変化は、低輝度から高輝度への変化（＋３）であり、運転者の目が幻惑される可能性があるため約４秒間の変化とする。また、このような緩やかな変化としても“右左折”の状況から“高速”の状況までに車両が加速するためには相応の時間を要するので問題はない。
【００５２】
輝度変化前の車両の走行状況が“右左折（輝度レベル１）”であり、輝度変化後の車両の走行状況が“駐車（輝度レベル０）”、“車線変更（輝度レベル１）”、“急減速（輝度レベル１）”である場合には、変化率はそれぞれ１００％であり、瞬時に輝度レベルが変化する。これらの変化は、高輝度から低輝度または同輝度への変化（−１〜０）であり、運転者の目が幻惑される可能性は無く、さらに、これらの状況下では、運転者はＨＵＤ３の表示を全く見ることなく、自車の周囲を目視確認する必要があるため、瞬時の変化とする。
【００５３】
輝度変化前の車両の走行状況が“車線変更（輝度レベル１）”であり、輝度変化後の車両の走行状況が“通常（輝度レベル５）”である場合には、変化率は７０％であり、約２秒間で輝度レベルが変化する。この変化は、低輝度から高輝度への比較的大きな変化（＋４）であり、運転者の目が幻惑される可能性があるため、さらに変化率が小さい方が望ましいのだが、車線変更後は、直ちに“通常”の状況になるため、運転者の目の多少の幻惑は許容して約２秒間の変化とする。
【００５４】
輝度変化前の車両の走行状況が“車線変更（輝度レベル１）”であり、輝度変化後の車両の走行状況が“低速（輝度レベル２）”である場合には、変化率は７０％であり、約２秒間で輝度レベルが変化する。この変化は、低輝度から高輝度への変化（＋１）であり、運転者の目が幻惑される可能性があるため約２秒間の変化とする。
【００５５】
輝度変化前の車両の走行状況が“車線変更（輝度レベル１）”であり、輝度変化後の車両の走行状況が“中速（輝度レベル３）”である場合には、変化率は５０％であり、約３秒間で輝度レベルが変化する。この変化は、低輝度から高輝度への変化（＋２）であり、運転者の目が幻惑される可能性があるため約３秒間の変化とする。
【００５６】
輝度変化前の車両の走行状況が“車線変更（輝度レベル１）”であり、輝度変化後の車両の走行状況が“高速（輝度レベル４）”である場合には、変化率は３０％であり、約４秒間で輝度レベルが変化する。この変化は、低輝度から高輝度への変化（＋３）であり、運転者の目が幻惑される可能性があるため約４秒間の変化とする。
【００５７】
なお、前述した“車線変更”から“通常”への変化率が７０％（約２秒間）であったのに対し、“車線変更”から“高速”への変化率を３０％（約４秒間）と緩くした理由は、“高速”の状況下であれば高速道路を走行中であり、一般道路を走行中である“通常”の状況下と比較して道路前方に歩行者が存在する可能性が低いからである。
【００５８】
輝度変化前の車両の走行状況が“車線変更（輝度レベル１）”であり、輝度変化後の車両の走行状況が“駐車（輝度レベル０）”、“右左折（輝度レベル１）”、“急減速（輝度レベル１）”である場合には、変化率はそれぞれ１００％であり、瞬時に輝度レベルが変化する。これらの変化は、高輝度から低輝度または同輝度への変化（−１〜０）であり、運転者の目が幻惑される可能性は無く、さらに、これらの状況下では、運転者はＨＵＤ３の表示を全く見ることなく、自車の周囲を目視確認する必要があるため、瞬時の変化とする。
【００５９】
輝度変化前の車両の走行状況が“急減速（輝度レベル１）”であり、輝度変化後の車両の走行状況が“通常（輝度レベル５）”である場合には、変化率は１０％であり、約５秒間で輝度レベルが変化する。この変化は、低輝度から高輝度への変化（＋４）であり、運転者の目が幻惑される可能性があるため約５秒間の変化とする。また、このような緩やかな変化としても“急減速”の状況から“通常”の状況までに車両が加速するためには相応の時間を要するので問題はない。
【００６０】
輝度変化前の車両の走行状況が“急減速（輝度レベル１）”であり、輝度変化後の車両の走行状況が“低速（輝度レベル２）”である場合には、変化率は７０％であり、約２秒間で輝度レベルが変化する。この変化は、低輝度から高輝度への変化（＋１）であり、運転者の目が幻惑される可能性があるため約２秒間の変化とする。
【００６１】
輝度変化前の車両の走行状況が“急減速（輝度レベル１）”であり、輝度変化後の車両の走行状況が“中速（輝度レベル３）”である場合には、変化率は５０％であり、約３秒間で輝度レベルが変化する。この変化は、低輝度から高輝度への変化（＋２）であり、運転者の目が幻惑される可能性があるため約３秒間の変化とする。
【００６２】
輝度変化前の車両の走行状況が“急減速（輝度レベル１）”であり、輝度変化後の車両の走行状況が“高速（輝度レベル４）”である場合には、変化率は３０％であり、約４秒間で輝度レベルが変化する。この変化は、低輝度から高輝度への変化（＋３）であり、運転者の目が幻惑される可能性があるため約４秒間の変化とする。また、このような緩やかな変化としても“急減速”の状況から“高速”の状況までに車両が加速するためには相応の時間を要するので問題はない。
【００６３】
輝度変化前の車両の走行状況が“急減速（輝度レベル１）”であり、輝度変化後の車両の走行状況が“駐車（輝度レベル０）”、“右左折（輝度レベル１）”、“車線変更（輝度レベル１）”である場合には、変化率はそれぞれ１００％であり、瞬時に輝度レベルが変化する。これらの変化は、高輝度から低輝度または同輝度への変化（−１〜０）であり、運転者の目が幻惑される可能性は無く、さらに、これらの状況下では、運転者はＨＵＤ３の表示を全く見ることなく、自車の周囲を目視確認する必要があるため、瞬時の変化とする。
【産業上の利用可能性】
【００６４】
本発明によれば、車両の運転中の様々な走行状況の変化に応じて表示部の輝度を自動的に調整することができるので、夜間の運転の安全性の向上に寄与することができる。
【図面の簡単な説明】
【００６５】
【図１】本実施例の覚醒度検出装置を搭載した車両の運転室を示す図。
【図２】本実施例の輝度調整部の動作を示すフローチャート。
【図３】本実施例の走行状態と輝度との関係の一覧表を示す図。
【図４】本実施例の輝度レベルの変化率の一覧表を示す図。
【符号の説明】
【００６６】
１  夜間前方情報提供装置
２  投影器
３  ＨＵＤ
４  カメラ
５  赤外線投光器
６  ブレーキ・スイッチ
７  方向指示器スイッチ
８  ワイパ・スイッチ
９  ヘッドランプ・スイッチ
１０  車速センサ
１１  日射センサ
２０  輝度調整部
３０  走行状況分析部
【図１】
2008030518.tif 000003
【図２】
2008030518.tif 000004
【図３】
2008030518.tif 000005
【図４】
2008030518.tif 000006